(57)【要約】【課題】ブラシにおいて、芯材を挟んだブラシ単体の２つ折り部を回転軸の取付溝にスムースに嵌合すること。【解決手段】回転軸１１の外周の周方向複数位置に、狭幅の開口部１３をもつ取付溝１２を設け、ブラシ単体２１の２つ折り部２１Ａに芯材２２を挟み込み、該芯材２２をブラシ単体２１の２つ折り部２１Ａとともに回転軸１１の外周に設けた各取付溝１２の開口部１３から該取付溝１２に押し込み嵌合してなるブラシにおいて、前記芯材２２を押し込み方向に向けて先細り状にしてなるもの。【選択図】  図２
2004242803.tif 000002
【特許請求の範囲】
【請求項１】
回転軸の外周の周方向複数位置に、狭幅の開口部をもつ取付溝を設け、
ブラシ単体の２つ折り部に芯材を挟み込み、該芯材をブラシ単体の２つ折り部とともに回転軸の外周に設けた各取付溝の開口部から該取付溝に押し込み嵌合してなるブラシにおいて、
前記芯材を押し込み方向に向けて先細り状にしてなることを特徴とするブラシ。
【請求項２】
前記芯材が自由状態で略Ｖ字状をなすばね材にて構成される請求項１に記載のブラシ。
【請求項３】
前記芯材がくさび材にて構成される請求項１に記載のブラシ。
【発明の詳細な説明】
【０００１】
【発明の属する技術分野】
本発明は洗車機等に用いて好適なブラシに関する。
【０００２】
【従来の技術】
洗車ブラシとして、特許文献１に記載の如く、回転軸の外周の周方向複数位置に、狭幅の開口部をもつ取付溝を設け、ブラシ単体の２つ折り部に芯材を挟み込み、該芯材をブラシ単体の２つ折り部とともに回転軸の外周に設けた各取付溝の開口部から該取付溝に押し込み嵌合してなるものがある。
【０００３】
特許文献１の洗車ブラシによれば、回転軸に設けた取付溝に嵌合したブラシ単体の２つ折り部が芯材を挟み込んでいるから、取付溝の内部に嵌合されたブラシ単体の２つ折り部の全幅を取付溝の開口部の幅に比して十分に広幅にし、ブラシ単体を回転軸に強固に取付けできる。
【０００４】
【特許文献１】
実公平２−２７７７３（１頁、第３図）
【０００５】
【発明が解決しようとする課題】
特許文献１の洗車ブラシでは、ブラシ単体の２つ折り部に挟み込む芯材を丸棒としているため、回転軸に設けた取付溝への押し込み抵抗が大きく、押し込み作業性が悪い。
【０００６】
本発明の課題は、ブラシにおいて、芯材を挟んだブラシ単体の２つ折り部を回転軸の取付溝にスムースに嵌合することにある。
【０００７】
【課題を解決するための手段】
請求項１の発明は、回転軸の外周の周方向複数位置に、狭幅の開口部をもつ取付溝を設け、ブラシ単体の２つ折り部に芯材を挟み込み、該芯材をブラシ単体の２つ折り部とともに回転軸の外周に設けた各取付溝の開口部から該取付溝に押し込み嵌合してなるブラシにおいて、前記芯材を押し込み方向に向けて先細り状にしてなるようにしたものである。
【０００８】
請求項２の発明は、請求項１の発明において更に、前記芯材が自由状態で略Ｖ字状をなすばね材にて構成されるようにしたものである。
【０００９】
請求項３の発明は、請求項１の発明において更に、前記芯材がくさび材にて構成されるようにしたものである。
【００１０】
【作用】
請求項１の発明によれば下記▲１▼の作用効果がある。
▲１▼ブラシ単体の２つ折り部に挟み込まれる芯材が、回転軸に設けた取付溝への押し込み方向に向けて先細り状をなす。従って、芯材をブラシ単体の２つ折り部とともに取付溝の開口部から該取付溝に押し込むときの抵抗が小さく、取付溝にスムースに押し込み嵌合できる。
【００１１】
請求項２の発明によれば下記▲２▼の作用効果がある。
▲２▼芯材が略Ｖ字状のばね材にて構成されるから、押し込み具等による取付溝への押し込み過程で、弾性的に狭幅になり、上述▲１▼の押し込み抵抗を確実に小さくする。押し込み嵌合後の芯材は弾性的に広幅に復元し、この芯材を挟み込んだブラシ単体の２つ折り部は取付溝の内部で取付溝の開口部の幅よりも拡幅化し、ブラシ単体を回転軸に強固に取付けできる。
【００１２】
請求項３の発明によれば下記▲３▼の作用効果がある。
▲３▼芯材がくさび材にて構成されるから、押し込みハンマ等による取付溝への押し込み過程で、ブラシ単体の２つ折り部を弾性的に薄肉化し、又は取付溝の開口部を弾性的に拡開しつつ、上述▲１▼の押し込み抵抗を確実に小さくする。押し込み嵌合後の芯材を挟み込んだブラシ単体の２つ折り部は、芯材の広幅部により、取付溝の内部で取付溝の開口部の幅よりも拡幅化し、ブラシ単体を回転軸に強固に取付けできる。
【００１３】
【発明の実施の形態】
図１は洗車ブラシを示す正面図、図２は第１実施形態の洗車ブラシの一部のブラシ単体を嵌合完了した状態を示す横断面図、図３は洗車ブラシの一部のブラシ単体を嵌合する過程を示す横断面図、図４は芯材を示す端面図、図５は第２実施形態の洗車ブラシの一部のブラシ単体を嵌合完了した状態を示す横断面図、図６は洗車ブラシの一部のブラシ単体を嵌合する過程を示す横断面図、図７は芯材を示す端面図である。
【００１４】
（第１実施形態）（図１〜図４）
洗車ブラシ１０は、洗車機のトップブラシ、サイドブラシ等として用いられるものであり、図１に示す如く、アルミ合金等からなる回転軸１１の外周に多数のブラシ単体２１を取付けて構成される。ブラシ単体２１は、エチレンビニルアセテート（ＥＶＡ）等のスポンジ状プラスチック、ポリプロピレンやポリエチレン等のプラスチック、布、又は撚り糸状繊維等からなる。本実施形態のブラシ単体２１は、１枚又は２枚以上重ね状にした可撓帯板状をなすが、可撓線棒状をなすものでも良い。
【００１５】
回転軸１１は、図２、図３に示す如く、円筒をなし、外周の周方向複数位置に、狭幅の開口部１３をもち、かつ軸方向に延在する取付溝１２を設けている。取付溝１２は回転軸１１の全長に連続し、その両端面に開放しているが、回転軸１１の長手方向に不連続に設けられても良く、回転軸１１の両端面に開放していなくても良い。取付溝１２の溝面は軸方向に直交する横断面の形状をＵ字状にし、開口部１３は取付溝１２のＵ字状溝面の両端に設けられた、溝内方に突き出る突部１３Ａにより形成される。突部１３Ａは、取付溝１２の溝面の軸方向に直交する横断面で、先端部を丸味状にし、洗浄作業中に突部１３Ａに対して揺れ動くブラシ単体２１を傷付けない。
【００１６】
ブラシ単体２１は、図２、図３に示す如く、２つ折り状にされ、２つ折り部２１Ａの全長（一部でも可）において芯材２２を挟み込み、２つ折り部２１Ａの芯材２２を挟む全幅を芯材２２の存在によって取付溝１２の開口部１３の幅より十分に広幅にした状態で、押し込み具により、芯材２２をブラシ単体２１の２つ折り部２１Ａとともに回転軸１１の外周に設けた取付溝１２の開口部１３から回転軸１１の直径方向に押し込み、取付溝１２に嵌合する。
【００１７】
本発明では、芯材２２を、図４に示す如く、自由状態で略Ｖ字状をなす、金属又はプラスチックからなる板ばね材にて構成している。芯材２２は、回転軸１１の取付溝１２への押し込み方向に向けて先細り状をなすし、ブラシ単体２１の２つ折り部２１Ａとともに開口部１３を通過して取付溝１２に押し込まれるときに相対するＶ字の２辺を互いに接する如くに弾性的に狭幅化し、取付溝１２への押し込み抵抗を小さくする。芯材２２は、取付溝１２への押し込み嵌合完了状態で、ブラシ単体２１の２つ折り部２１Ａとともに取付溝１２の内部に完全に納まる長さとされ、取付溝１２の内部で弾性的に広幅に復元し、２つ折り部２１Ａの全幅を取付溝１２の開口部１３の幅より十分に広幅にしてブラシ単体２１を取付溝１２から抜け止めする。
【００１８】
２つ折り部２１Ａで芯材２２を挟み込んだブラシ単体２１における芯材２２の長手方向に沿う長さＬは、本実施形態では、回転軸１１の取付溝１２の全長を複数分割した長さとし、１個の取付溝１２の全長に複数個のブラシ単体２１を嵌合し、それらのブラシ単体２１を回転軸１１の軸方向にてつなげるものにした。但し、ブラシ単体２１の上述の長さＬは、回転軸１１の取付溝１２の全長に渡る長さとし、単一のブラシ単体２１を１個の取付溝１２の全長に嵌合するものでも良い。
【００１９】
洗車ブラシ１０にあっては、取付溝１２が開放している回転軸１１の端面にエンドプレート１４をボルト止めし、取付溝１２を塞ぐ。
【００２０】
本実施形態によれば以下の作用効果を奏する。
▲１▼ブラシ単体２１の２つ折り部２１Ａに挟み込まれる芯材２２が、回転軸１１に設けた取付溝１２への押し込み方向に向けて先細り状をなす。従って、芯材２２をブラシ単体２１の２つ折り部２１Ａとともに取付溝１２の開口部１３から該取付溝１２に押し込むときの抵抗が小さく、取付溝１２にスムースに押し込み嵌合できる。
【００２１】
▲２▼芯材２２が略Ｖ字状のばね材にて構成されるから、押し込み具等による取付溝１２への押し込み過程で、弾性的に狭幅になり、上述▲１▼の押し込み抵抗を確実に小さくする。押し込み嵌合後の芯材２２は弾性的に広幅に復元し、この芯材２２を挟み込んだブラシ単体２１の２つ折り部２１Ａは取付溝１２の内部で取付溝１２の開口部１３の幅よりも拡幅化し、ブラシ単体２１を回転軸１１に強固に取付けできる。
【００２２】
（第２実施形態）（図５〜図７）
第２実施形態の洗車ブラシ１０は、第１実施形態の洗車ブラシ１０と同様の回転軸１１とブラシ単体２１を用いる。回転軸１１は、第１実施形態におけると同様に、取付溝１２、開口部１３、突部１３Ａを有する。
【００２３】
ブラシ単体２１は、図５、図６に示す如く、２つ折り状にされ、２つ折り部２１Ａの全長（一部でも可）において芯材３１を挟み込み、２つ折り部２１Ａの芯材３１で挟む全幅を芯材３１の存在によって取付溝１２の開口部１３の幅より十分に広幅にした状態で、押し込みハンマを用いて、芯材３１をブラシ単体２１の２つ折り部２１Ａとともに回転軸１１の外周に設けた取付溝１２の開口部１３から回転軸１１の直径方向に押し込み、取付溝１２に嵌合する。
【００２４】
本発明では、芯材３１を、図７に示す如く、くさび材にて構成している。芯材３１は、回転軸１１の取付溝１２への押し込み方向に向けて先細り状をなすし、ブラシ単体２１の２つ折り部２１Ａとともに開口部１３を通過して取付溝１２に押し込まれるときに、芯材３１のくさび作用により、ブラシ単体２１の２つ折り部２１Ａを圧迫して弾性的に薄肉化し、又は取付溝１２の開口部１３を弾性的に拡開し、取付溝１２への押し込み抵抗を小さくする。芯材３１は、取付溝１２への押し込み嵌合完了状態で、ブラシ単体２１の２つ折り部２１Ａとともに取付溝１２の内部に完全に納まる長さとされ、取付溝１２の内部では芯材３１の広幅部によって２つ折り部２１Ａの全幅を取付溝１２の開口部１３の幅より十分に広幅にし、ブラシ単体２１を取付溝１２から抜け止めする。
【００２５】
尚、回転軸１１は、図５、図６に示す如く、取付溝１２の一側の側壁１２Ａ又は両側の側壁１２Ａ、１２Ｂを、回転軸１１の基部から薄板状に立ち上げ、芯材３１がブラシ単体２１の２つ折り部２１Ａとともに取付溝１２の開口部１３を通過する際に、側壁１２Ａ、１２Ｂの弾性曲げ変形により、取付溝１２の開口部１３を前述の如くに弾性的に拡開可能にする。
【００２６】
本実施形態によれば以下の作用効果を奏する。
▲１▼ブラシ単体２１の２つ折り部２１Ａに挟み込まれる芯材３１が、回転軸１１に設けた取付溝１２への押し込み方向に向けて先細り状をなす。従って、芯材３１をブラシ単体２１の２つ折り部２１Ａとともに取付溝１２の開口部１３から該取付溝１２に押し込むときの抵抗が小さく、取付溝１２にスムースに押し込み嵌合できる。
【００２７】
▲２▼芯材３１がくさび材にて構成されるから、押し込みハンマ等による取付溝１２への押し込み過程で、ブラシ単体２１の２つ折り部２１Ａを弾性的に薄肉化し、又は取付溝１２の開口部１３を弾性的に拡開しつつ、上述▲１▼の押し込み抵抗を確実に小さくする。押し込み嵌合後の芯材３１を挟み込んだブラシ単体２１の２つ折り部２１Ａは、芯材３１の広幅部により、取付溝１２の内部で取付溝１２の開口部１３の幅よりも拡幅化し、ブラシ単体２１を回転軸１１に強固に取付けできる。
【００２８】
以上、本発明の実施の形態を図面により詳述したが、本発明の具体的な構成はこの実施の形態に限られるものではなく、本発明の要旨を逸脱しない範囲の設計の変更等があっても本発明に含まれる。
【００２９】
【発明の効果】
本発明によれば、ブラシにおいて、芯材を挟んだブラシ単体の２つ折り部を回転軸の取付溝にスムースに嵌合することができる。
【図面の簡単な説明】
【図１】図１は洗車ブラシを示す正面図である。
【図２】図２は第１実施形態の洗車ブラシの一部のブラシ単体を嵌合完了した状態を示す横断面図である。
【図３】図３は洗車ブラシの一部のブラシ単体を嵌合する過程を示す横断面図である。
【図４】図４は芯材を示す端面図である。
【図５】図５は第２実施形態の洗車ブラシの一部のブラシ単体を嵌合完了した状態を示す横断面図である。
【図６】図６は洗車ブラシの一部のブラシ単体を嵌合する過程を示す横断面図である。
【図７】図７は芯材を示す端面図である。
【符号の説明】
１０  洗車ブラシ
１１  回転軸
１２  取付溝
１３  開口部
２１  ブラシ単体
２１Ａ  ２つ折り部
２２、３１  芯材
【図１】
2004242803.tif 000003
【図２】
2004242803.tif 000004
【図３】
2004242803.tif 000005
【図４】
2004242803.tif 000006
【図５】
2004242803.tif 000007
【図６】
2004242803.tif 000008
【図７】
2004242803.tif 000009